(57)【要約】【課題】簡単な構成を有し、撮像素子への露光状態と非露光状態との切り換えの応答性が早く、かつ、撮影モードの切り替えも容易である撮像装置を提供する。【解決手段】撮像装置である一眼レフカメラ１０は、撮像素子４と、撮影レンズ１と、ＡＦセンサ部８と、液晶表示部９と、光学ファインダと、上記被写体光束を透過させる開口部２ａと上記光学ファインダに向けて反射する反射面２ｂを有する主回転板２と、上記被写体光束を透過させる透過位置とＡＦセンサ部８に入射させる反射位置を選択可能な副回転板３と、ライブビュー／光学ファインダモード、上記液晶表示部のみに表示するライブビューモード、上記光学ファインダのみに表示させる光学ファインダモードを選択可能に有し、選択された上記表示モードに応じ、上記主回転板２、副回転板３の回転動作を制御する制御部１５とを有する。【選択図】図１
2009080206.tif 000002
【特許請求の範囲】
【請求項１】
撮影時には被写体像の全画素の読み出しを行う全画素読み出しモードで駆動され、ライブビュー表示を行うときには画素加算、または、間引きで表示に必要な最小限の画素読み出しを行うファインダーモードで駆動される撮像素子と、
上記撮像素子の受光面に入射させる被写体光束に係る被写体像を生成し、撮影光軸を有する撮影光学系と、
上記被写体光束の光学特性を検出する検出器と、
上記撮像素子にて変換された上記被写体像に係る映像信号をライブビュー表示する電子画像表示器と、
上記被写体像を光学的に表示する光学ファインダと、
上記撮像素子にて変換された上記被写体像に係る映像信号を格納する格納部と、
上記被写体光束の光軸と交差する平面に対して交差する軸を中心として回転し、回転方向に沿って、上記受光面に結像可能に上記被写体光束を透過させる第一の領域、および、上記被写体光束を反射して上記光学ファインダに被写体像を表示可能とする第二の領域を有する第一の板状反射体と、
上記第一の板状反射体の上記第一の領域を透過した被写体光束を、上記受光面に結像可能にさらに透過させる第一の位置と上記透過した被写体光束を反射して上記検出器に入射させる第二の位置とを択一的に設定可能な第二の板状反射体と、
上記電子画像表示器及び上記光学ファインダに共に上記被写体像を表示させる第一の表示モード、上記電子画像表示器のみに上記被写体像をライブビュー表示させる第二の表示モード、または、上記光学ファインダのみに上記被写体像を表示させる第三の表示モードのうちの少なくとも２つの表示モードを選択可能に有し、選択された上記表示モードに応じ、上記格納部に格納する映像信号を取得するにあたって上記第一及び上記第二の板状反射体の動作を制御する制御部と、
当該撮像装置を作動状態とするための電源スイッチと、
当該撮像装置の撮影動作を指示するための二段構成レリーズ操作スイッチからなるレリーズスイッチと、
を有することを特徴とする撮像装置。
【請求項２】
上記制御部は、さらに、上記撮像装置を単写撮影モードと連写撮影モードのいずれかが選択された状態で制御することを特徴とする請求項１記載の撮像装置。
【請求項３】
上記制御部は、さらに、上記撮像装置を被写体追従モードとフォーカスロックモードのいずれかが選択された状態で制御することを特徴とする請求項１、または、２記載の撮像装置。
【請求項４】
上記制御部は、上記電源スイッチの投入時において、上記第一の表示モードが選択されているときには、第一の板状反射体を連続回転させ、上記第二の表示モードが選択されているときには、上記第一の板状反射体を被写体光束が透過する状態で停止させ、上記第三の表示モードが選択されているときには、上記第一の板状反射体を上記光学ファインダ側に被写体光束を導く状態で停止させるように制御することを特徴とする請求項１乃至３記載の撮像装置。
【請求項５】
上記制御部は、カメラ再生時には上記第一の板状反射体および上記第二の板状反射体は、停止させるように制御することを特徴とする請求項１記載の撮像装置。
【請求項６】
上記制御部は、動画撮影時には上記第一の板状反射体および上記第二の板状反射体は、停止させ、イメ−ジャ測距による合焦動作に切り換えるように制御することを特徴とする請求項１記載の撮像装置。
【請求項７】
上記制御部は、上記第一の表示モード、または、上記第三の表示モードが選択されているときには、上記撮像装置のレリーズスイッチの一段目操作信号によって、第一の板状反射体を連続回転させるように制御し、上記第二の表示モードが選択されているときには、上記レリーズスイッチの一段目操作信号によって、上記第一の板状反射体を被写体光束が透過する状態で停止するように制御することを特徴とする請求項１記載の撮像装置。
【請求項８】
上記制御部は、上記電源スイッチの投入時に上記第一の表示モード、または、第二の表示モードが選択されているときには、上記撮像素子をライブビュー表示タイミング毎に上記ファインダモードで駆動し、画素加算や間引きで表示に必要な最小限の読み出しを行うように制御し、上記読み出された画像を上記電子ビューファインダに表示させ、上記第三の表示モードが選択されているときには、撮像素子をオフ状態とするように制御することを特徴とする請求項１記載の撮像装置。
【請求項９】
上記制御部は、第一の表示モード、または、第二の表示モードが選択されているときには、上記レリーズスイッチの一段目操作信号により、上記撮像素子をライブビュー表示タイミング毎にファインダモードで駆動し、画素加算、または、間引きで表示に必要な最小限の読み出しを行うように制御し、上記読み出されたライブビュー画像を電子ビューファインダファインダに表示させ、上記第三のモードが選択されているときには、上記撮像素子のオン状態とし、該撮像素子にクロック信号を入力し、待機状態とするように制御することを特徴とする請求項１記載の撮像装置。
【請求項１０】
上記制御部は、上記電源スイッチの投入時に上記検出器の電源をオンとし、待機状態とするように制御することを特徴とする請求項１記載の撮像装置。
【請求項１１】
上記制御部は、第一の表示モード、または、第二の表示モードが選択されているときには、第一の板状反射体および第二の板状反射体をライブビュー表示のレートの整数倍の回転速度で駆動するように制御し、連写撮影時には、上記第一の板状反射体および第二の板状反射体の回転により得られる撮像フレームの中から連写撮影画像を得るように制御することを特徴とする請求項２記載の撮像装置。
【請求項１２】
上記制御部は、連写撮影モードが選択されている状態で第一の表示モード、または、第二の表示モードが選択されているときには、第一の板状反射体および第二の板状反射体を連写のレートの整数倍の回転速度で駆動するように制御し、ライブビュー表示は、上記連写のレートで得られた画像の中から間引いた画像を表示させるように制御することを特徴とする請求項２記載の撮像装置。
【請求項１３】
上記制御部は、連写撮影モードが選択されているときには第一の板状反射体および第二の板状反射体の回転速度を連写レートとライブビュー表示のレートの最小公倍数の整数倍で駆動するように制御することを特徴とする請求項２記載の撮像装置。
【請求項１４】
上記制御部は、上記単写撮影モードが選択されている状態にて、上記レリーズスイッチの二段目操作信号により、上記撮像素子を全画素読み出しモードで駆動し、読み出したデータを画像処理などを行って記録媒体に記録するように制御することを特徴とする請求項２記載の撮像装置。
【請求項１５】
上記制御部は、上記連写撮影モードが選択されている状態にて、上記第一の表示モード、または、上記第二の表示モードが選択されているときには、上記レリーズスイッチの二段目操作信号により、上記撮像素子を連写撮影タイミングにて全画素読み出しモードで駆動して画像処理などを行って記録媒体に記録し、このとき、ライブビュー表示タイミングであれば、画像処理で間引きを行って、ライブビュー画像を生成して上記電子ビューファインダに表示させ、連写タイミング以外のライブビュー表示タイミングであれば、ファインダモードで駆動し、画素加算や間引きで表示に必要な最小限の読み出しを行うとともに読み出したライブビュー画像を電子ビューファインダに表示させるように制御し、上記第三の表示モードが選択されているときには、上記レリーズスイッチの二段目操作信号により、連写撮影タイミングにて上記撮像素子を全画素読み出しモードで駆動して画像処理などを行って記録媒体に記録する制御することを特徴とする請求項２記載の撮像装置。
【請求項１６】
上記制御部は、長時間露光撮影時には上記第一の板状反射体および上記第二の板状反射体は、停止させるように制御することを特徴とする請求項３記載の撮像装置。
【請求項１７】
上記制御部は、フォーカスロックモードが選択されている状態にて、第一の表示モードが選択されているときには、上記レリーズスイッチの一段目操作信号により、第二の板状反射体を上記第一の板状反射体に同期して一定時間回転させ、合焦評価値が得られた後に上記第一の位置にで停止させように制御し、さらに、第三の表示モードが選択されているときには、上記レリーズスイッチの一段目操作信号により、第二の板状反射体を第二の位置に停止させるか、第一の板状反射体に同期して一定時間回転させ、合焦評価値が得られた後に第一の位置に停止させるか、上記第一の板状反射体に同期して連続回転させるように制御し、またさらに、第二の表示モードが選択されているときには、上記レリーズスイッチの一段目操作信号により、第二の板状反射体を第一の板状反射体に同期して一定時間回転させ、合焦評価値が得られた後に第一の位置に停止させるか、上記第一の板状反射体に同期して連続回転させるように制御することを特徴とする請求項３記載の撮像装置。
【請求項１８】
上記制御部は、被写体追尾モードが選択されている状態にて、第一の表示モード、または、第二の表示モードが選択されているときには、上記レリーズスイッチの一段目操作信号により、第二の板状反射体を上記第一の板状反射体に同期して連続回転させるように制御し、さらに、第三の表示モードが選択されているときには、上記レリーズスイッチの一段目操作信号により、第二の板状反射体を第二の位置に停止させるか、または、第一の板状反射体に同期して連続回転させるように制御することを特徴とする請求項３記載の撮像装置。
【請求項１９】
上記制御部は、フォーカスロックモードが選択されているときには、上記レリーズスイッチの一段目操作信号により、上記検出器を露光後に合焦評価値を読み出し、主要被写体に合焦するように上記撮影光学系を合焦駆動して待機状態とし、また、被写体追尾モードが選択されているときには、上記レリーズスイッチの一段目操作信号により、合焦タイミング毎に上記検出器の露光後、合焦評価値を読み出し、主要被写体に合焦するように上記撮影光学系を合焦駆動するように制御することを特徴とする請求項３記載の撮像装置。
【請求項２０】
上記制御部は、フォーカスロックモードが選択されているときには、上記レリーズスイッチの二段目操作信号により、上記検出器を待機状態とし、また、被写体追尾モードが選択されているときには、上記レリーズスイッチの二段目操作信号により、合焦タイミング毎に上記検出器の露光後、合焦評価値を読み出し、主要被写体に合焦するように上記撮影光学系を合焦駆動するように制御することを特徴とする請求項３記載の撮像装置。
【請求項２１】
上記制御部は、上記電源スイッチの投入時に上記第一の表示モード、または、第二の表示モードが選択されているときには、上記第二の板状反射体を第一の位置に停止させ、また、上記第三の表示モードが選択されているときには、上記第二の板状反射体を第二の位置に停止させるように制御することを特徴とする請求項１乃至４記載の撮像装置。
【請求項２２】
上記制御部は、単写撮影モードが選択されている状態にて、第一の表示モードが選択されているときには、上記レリーズスイッチの二段目操作信号により、第二の板状反射体を上記第一の板状反射体に同期して一定期間回転させ、撮影が完了した後に上記電源スイッチ投入時の状態に戻すか、あるいは、第二の板状反射体を第一の位置に停止させ、撮影が完了した後に上記電源スイッチ投入時の状態に戻すように制御し、第二の表示モードが選択されているときには上記レリーズスイッチの二段目操作信号により、上記第二の板状反射体を回転駆動し、撮影が完了した後に上記電源スイッチ投入時の状態に戻すか、上記第二の板状反射体を第一の位置に停止させ、撮影が完了した後に上記電源スイッチ投入時の状態に戻すように制御し、第三の表示モードが選択されているときには上記レリーズスイッチの二段目操作信号により、上記第二の板状反射体を第一の板状反射体と同期して回転駆動し、撮影が完了した後に上記電源スイッチ投入時の状態に戻すか、上記第二の板状反射体を第一の位置に停止させ、撮影が完了した後に上記電源スイッチ投入時の状態に戻すように制御することを特徴とする請求項２１記載の撮像装置。
【請求項２３】
上記制御部は、連写撮影モードが選択されている状態にて、第一の表示モードが選択されているときには、上記レリーズスイッチの二段目操作信号により、第二の板状反射体を上記第一の板状反射体に同期して連続回転させ、上記レリーズスイッチの二段目操作解除に伴って、上記電源スイッチ投入時の状態に戻すか、あるいは、第二の板状反射体を第一の位置に停止させ、上記レリーズスイッチの二段目操作解除に伴って、上記電源スイッチ投入時の状態に戻すように制御し、第二の表示モードが選択されているときには上記レリーズスイッチの二段目操作信号により、上記第二の板状反射体を連続回転させ、上記レリーズスイッチの二段目操作解除に伴って、上記電源スイッチ投入時の状態に戻すか、上記第二の板状反射体を第一の位置に停止させ、上記レリーズスイッチの二段目操作解除に伴って、上記電源スイッチ投入時の状態に戻すように制御し、第三の表示モードが選択されているときには上記レリーズスイッチの二段目操作信号により、上記第二の板状反射体を上記第一の板状反射体と同期させて連続回転駆動し、上記レリーズスイッチの二段目操作解除に伴って、上記電源スイッチ投入時の状態に戻すか、上記第二の板状反射体を第一の位置に停止させ、上記レリーズスイッチの二段目操作解除に伴って、上記電源スイッチ投入時の状態に戻すように制御することを特徴とする請求項２１記載の撮像装置。
【請求項２４】
上記制御部は、単写撮影モードが選択されている状態で、第一の表示モード、または、第三の表示モードが選択されているときには、上記レリーズスイッチの二段目操作信号によって上記第一の板状反射体を連続回転させ、撮影完了後に上記電源投入時の状態に戻るように制御し、さらに、第二の表示モードが選択されているときには、上記第一の板状反射体を被写体光束が透過する状態で停止させ、撮影完了後に上記電源投入時の状態に戻るように制御することを特徴とする請求項４記載の撮像装置。
【請求項２５】
上記制御部は、連写撮影モードが選択されている状態で、第一の表示モード、または、第三に表示モードが選択されているときには、上記レリーズスイッチの二段目操作信号によって、第一の板状反射体を連続回転させ、上記レリーズスイッチの二段目操作解除に伴って、上記電源投入時の状態に戻すように制御し、第二に表示モードが選択されているときには、上記レリーズスイッチの二段目操作信号に伴って、第一の板状反射体を被写体光束が透過する状態で停止させ、上記レリーズスイッチの二段目操作解除に伴って、上記電源投入時の状態に戻すように制御することを特徴とする請求項４記載の撮像装置。
【発明の詳細な説明】
【技術分野】
【０００１】
本発明は、撮像素子を用いて被写体像を撮像する撮像装置の構造に関する。
【背景技術】
【０００２】
従来の撮像素子を用いた撮像装置であるデジタル式一眼レフカメラにて、例えば、特許文献１などに開示された一眼レフカメラ１００は、図２３の光軸に沿った断面で示した構成図（概要）のように撮影レンズ光軸（Ｏ）上に着脱可能な撮影レンズ１０１と、サブミラー１０２ａを有するハーフミラーからなる揺動式可動ミラー１０２と、シャッタ１０３と、撮像素子１０４と、光軸の上側方にスクリーン１０５とペンタプリズム１０６および接眼レンズ１０７と、さらに、光軸の下側方にＡＦセンサ部１０８を備えている。
【０００３】
可動ミラー１０２は、光軸と直交する平面に沿って左右に延びるミラー軸１０２ｂに開閉回動（揺動）可能な状態でバネにより付勢された状態で支持されている。そして、電源オン時、ファインダ観察時、ＡＦ時に撮影光路中に傾斜した光路進入位置（撮像素子非露光状態）に回動駆動され、露光時に上記撮影光路から退避した退避位置（撮像素子露光状態）に回動駆動される。
【０００４】
また、上記従来のデジタル式一眼レフカメラにおいては、被写体の状態を確認するための被写体観察モードとして、光学ファインダ観察のみを利用するモードと、上記ライブビューのみを利用するモードの２つのモードが可能である。
【特許文献１】特開昭６１−４６９４１号公報
【発明の開示】
【発明が解決しようとする課題】
【０００５】
ところが、上記従来の一眼レフカメラにおいては、上記可動ミラー１０２の揺動駆動速度自体に限界があり、高速連写撮影における連写速度が制限される。近年では１０コマ／秒を超える連写が可能な高速処理が可能な撮像素子も開発されており、そのような撮像素子に対して上述した従来の可動ミラー駆動機構では対応が難しいと思われる。
【０００６】
また、退避位置から光路進入位置に回動した際の応答動作が遅れる。詳しくは、可動ミラーが急激に停止することからバウンドが生じ、素早くＡＦ処理を開始することが難しかった。
【０００７】
一方、上記従来の一眼レフカメラにおける被写体観察モードを上述した２つのモードの併用を可能とするものであって、しかも、上述した高速連写撮影にも対応が可能な一眼レフカメラに関してはまだ提案がなされていない。また、光学ファインダとライブビューとを併用するためには、スクリーン１０５への被写体光束を分割して別途、撮像素子を設ける必要があった。
【０００８】
本発明は、上述の問題を解決するためになされたものであり、撮像素子を用いた撮像装置において、簡単な構成を有し、撮像素子への露光状態と非露光状態との切り換えの応答性が早く、かつ、撮影モードの切り替えも容易である撮像装置を提供することを目的とする。
【課題を解決するための手段】
【０００９】
本発明の請求項１記載の撮像装置は、撮影時には被写体像の全画素の読み出しを行う全画素読み出しモードで駆動され、ライブビュー表示を行うときには画素加算、または、間引きで表示に必要な最小限の画素読み出しを行うファインダーモードで駆動される撮像素子と、上記撮像素子の受光面に入射させる被写体光束に係る被写体像を生成し、撮影光軸を有する撮影光学系と、上記被写体光束の光学特性を検出する検出器と、上記撮像素子にて変換された上記被写体像に係る映像信号をライブビュー表示する電子画像表示器と、上記被写体像を光学的に表示する光学ファインダと、上記撮像素子にて変換された上記被写体像に係る映像信号を格納する格納部と、上記被写体光束の光軸と交差する平面に対して交差する軸を中心として回転し、回転方向に沿って、上記受光面に結像可能に上記被写体光束を透過させる第一の領域、および、上記被写体光束を反射して上記光学ファインダに被写体像を表示可能とする第二の領域を有する第一の板状反射体と、上記第一の板状反射体の上記第一の領域を透過した被写体光束を、上記受光面に結像可能にさらに透過させる第一の位置と上記透過した被写体光束を反射して上記検出器に入射させる第二の位置とを択一的に設定可能な第二の板状反射体と、上記電子画像表示器及び上記光学ファインダに共に上記被写体像を表示させる第一の表示モード、上記電子画像表示器のみに上記被写体像をライブビュー表示させる第二の表示モード、または、上記光学ファインダのみに上記被写体像を表示させる第三の表示モードのうちの少なくとも２つの表示モードを選択可能に有し、選択された上記表示モードに応じ、上記格納部に格納する映像信号を取得するにあたって上記第一及び上記第二の板状反射体の動作を制御する制御部と、当該撮像装置を作動状態とするための電源スイッチと、当該撮像装置の撮影動作を指示するための二段構成レリーズ操作スイッチからなるレリーズスイッチとを有する。
【００１０】
本発明の請求項２記載の撮像装置は、請求項１記載の撮像装置において、上記制御部は、さらに、上記撮像装置を単写撮影モードと連写撮影モードのいずれかが選択された状態で制御を行う。
【００１１】
本発明の請求項３記載の撮像装置は、請求項１、または、２記載の撮像装置において、上記制御部は、さらに、上記撮像装置を被写体追従モードとフォーカスロックモードのいずれかが選択された状態で制御を行う。
【００１２】
本発明の請求項４記載の撮像装置は、請求項１乃至３記載の撮像装置において、上記制御部は、上記電源スイッチの投入時において、上記第一の表示モードが選択されているときには、第一の板状反射体を連続回転させ、上記第二の表示モードが選択されているときには、上記第一の板状反射体を被写体光束が透過する状態で停止させ、上記第三の表示モードが選択されているときには、上記第一の板状反射体を上記光学ファインダ側に被写体光束を導く状態で停止させるように制御する。
【００１３】
本発明の請求項５記載の撮像装置は、請求項１記載の撮像装置において、上記制御部は、カメラ再生時には上記第一の板状反射体および上記第二の板状反射体は、停止させるように制御する。
【００１４】
本発明の請求項６記載の撮像装置は、請求項１記載の撮像装置において、上記制御部は、動画撮影時には上記第一の板状反射体および上記第二の板状反射体は、停止させ、イメ−ジャ測距による合焦動作に切り換えるように制御する。
【００１５】
本発明の請求項７記載の撮像装置は、請求項１記載の撮像装置において、上記制御部は、上記第一の表示モード、または、上記第三の表示モードが選択されているときには、上記撮像装置のレリーズスイッチの一段目操作信号によって、第一の板状反射体を連続回転させるように制御し、上記第二の表示モードが選択されているときには、上記レリーズスイッチの一段目操作信号によって、上記第一の板状反射体を被写体光束が透過する状態で停止するように制御する。
【００１６】
本発明の請求項８記載の撮像装置は、請求項１記載の撮像装置において、上記制御部は、上記電源スイッチの投入時に上記第一の表示モード、または、第二の表示モードが選択されているときには、上記撮像素子をライブビュー表示タイミング毎に上記ファインダモードで駆動し、画素加算や間引きで表示に必要な最小限の読み出しを行うように制御し、上記読み出された画像を上記電子ビューファインダに表示させ、上記第三の表示モードが選択されているときには、撮像素子をオフ状態とするように制御する。
【００１７】
本発明の請求項９記載の撮像装置は、請求項１記載の撮像装置において、上記制御部は、第一の表示モード、または、第二の表示モードが選択されているときには、上記レリーズスイッチの一段目操作信号により、上記撮像素子をライブビュー表示タイミング毎にファインダモードで駆動し、画素加算、または、間引きで表示に必要な最小限の読み出しを行うように制御し、上記読み出されたライブビュー画像を電子ビューファインダファインダに表示させ、上記第三のモードが選択されているときには、上記撮像素子のオン状態とし、該撮像素子にクロック信号を入力し、待機状態とするように制御する。
【００１８】
本発明の請求項１０記載の撮像装置は、請求項１記載の撮像装置において、上記制御部は、上記電源スイッチの投入時に上記検出器の電源をオンとし、待機状態とするように制御する。
【００１９】
本発明の請求項１１記載の撮像装置は、請求項２記載の撮像装置において、上記制御部は、第一の表示モード、または、第二の表示モードが選択されているときには、第一の板状反射体および第二の板状反射体をライブビュー表示のレートの整数倍の回転速度で駆動するように制御し、連写撮影時には、上記第一の板状反射体および第二の板状反射体の回転により得られる撮像フレームの中から連写撮影画像を得るように制御する。
【００２０】
本発明の請求項１２記載の撮像装置は、請求項２記載の撮像装置において、上記制御部は、連写撮影モードが選択されている状態で第一の表示モード、または、第二の表示モードが選択されているときには、第一の板状反射体および第二の板状反射体を連写のレートの整数倍の回転速度で駆動するように制御し、ライブビュー表示は、上記連写のレートで得られた画像の中から間引いた画像を表示させるように制御する。
【００２１】
本発明の請求項１３記載の撮像装置は、請求項２記載の撮像装置において、上記制御部は、連写撮影モードが選択されているときには第一の板状反射体および第二の板状反射体の回転速度を連写レートとライブビュー表示のレートの最小公倍数の整数倍で駆動するように制御する。
【００２２】
本発明の請求項１４記載の撮像装置は、請求項２記載の撮像装置において、上記制御部は、上記単写撮影モードが選択されている状態にて、上記レリーズスイッチの二段目操作信号により、上記撮像素子を全画素読み出しモードで駆動し、読み出したデータを画像処理などを行って記録媒体に記録するように制御する。
【００２３】
本発明の請求項１５記載の撮像装置は、請求項２記載の撮像装置において、上記制御部は、上記連写撮影モードが選択されている状態にて、上記第一の表示モード、または、上記第二の表示モードが選択されているときには、上記レリーズスイッチの二段目操作信号により、上記撮像素子を連写撮影タイミングにて全画素読み出しモードで駆動して画像処理などを行って記録媒体に記録し、このとき、ライブビュー表示タイミングであれば、画像処理で間引きを行って、ライブビュー画像を生成して上記電子ビューファインダに表示させ、連写タイミング以外のライブビュー表示タイミングであれば、ファインダモードで駆動し、画素加算や間引きで表示に必要な最小限の読み出しを行うとともに読み出したライブビュー画像を電子ビューファインダに表示させるように制御し、上記第三の表示モードが選択されているときには、上記レリーズスイッチの二段目操作信号により、連写撮影タイミングにて上記撮像素子を全画素読み出しモードで駆動して画像処理などを行って記録媒体に記録する制御する。
【００２４】
本発明の請求項１６記載の撮像装置は、請求項３記載の撮像装置において、上記制御部は、長時間露光撮影時には上記第一の板状反射体および上記第二の板状反射体は、停止させるように制御する。
【００２５】
本発明の請求項１７記載の撮像装置は、請求項３記載の撮像装置において、上記制御部は、フォーカスロックモードが選択されている状態にて、第一の表示モードが選択されているときには、上記レリーズスイッチの一段目操作信号により、第二の板状反射体を上記第一の板状反射体に同期して一定時間回転させ、合焦評価値が得られた後に上記第一の位置にで停止させように制御し、さらに、第三の表示モードが選択されているときには、上記レリーズスイッチの一段目操作信号により、第二の板状反射体を第二の位置に停止させるか、第一の板状反射体に同期して一定時間回転させ、合焦評価値が得られた後に第一の位置に停止させるか、上記第一の板状反射体に同期して連続回転させるように制御し、またさらに、第二の表示モードが選択されているときには、上記レリーズスイッチの一段目操作信号により、第二の板状反射体を第一の板状反射体に同期して一定時間回転させ、合焦評価値が得られた後に第一の位置に停止させるか、上記第一の板状反射体に同期して連続回転させるように制御する。
【００２６】
本発明の請求項１８記載の撮像装置は、請求項３記載の撮像装置において、上記制御部は、被写体追尾モードが選択されている状態にて、第一の表示モード、または、第二の表示モードが選択されているときには、上記レリーズスイッチの一段目操作信号により、第二の板状反射体を上記第一の板状反射体に同期して連続回転させるように制御し、さらに、第三の表示モードが選択されているときには、上記レリーズスイッチの一段目操作信号により、第二の板状反射体を第二の位置に停止させるか、または、第一の板状反射体に同期して連続回転させるように制御する。
【００２７】
本発明の請求項１９記載の撮像装置は、請求項３記載の撮像装置において、上記制御部は、フォーカスロックモードが選択されているときには、上記レリーズスイッチの一段目操作信号により、上記検出器を露光後に合焦評価値を読み出し、主要被写体に合焦するように上記撮影光学系を合焦駆動して待機状態とし、また、被写体追尾モードが選択されているときには、上記レリーズスイッチの一段目操作信号により、合焦タイミング毎に上記検出器の露光後、合焦評価値を読み出し、主要被写体に合焦するように上記撮影光学系を合焦駆動するように制御する。
【００２８】
本発明の請求項２０記載の撮像装置は、請求項３記載の撮像装置において、上記制御部は、フォーカスロックモードが選択されているときには、上記レリーズスイッチの二段目操作信号により、上記検出器を待機状態とし、また、被写体追尾モードが選択されているときには、上記レリーズスイッチの二段目操作信号により、合焦タイミング毎に上記検出器の露光後、合焦評価値を読み出し、主要被写体に合焦するように上記撮影光学系を合焦駆動するように制御する。
【００２９】
本発明の請求項２１記載の撮像装置は、請求項１乃至４記載の撮像装置において、上記制御部は、上記電源スイッチの投入時に上記第一の表示モード、または、第二の表示モードが選択されているときには、上記第二の板状反射体を第一の位置に停止させ、また、上記第三の表示モードが選択されているときには、上記第二の板状反射体を第二の位置に停止させるように制御する。
【００３０】
本発明の請求項２２記載の撮像装置は、請求項２１記載の撮像装置において、上記制御部は、単写撮影モードが選択されている状態にて、第一の表示モードが選択されているときには、上記レリーズスイッチの二段目操作信号により、第二の板状反射体を上記第一の板状反射体に同期して一定期間回転させ、撮影が完了した後に上記電源スイッチ投入時の状態に戻すか、あるいは、第二の板状反射体を第一の位置に停止させ、撮影が完了した後に上記電源スイッチ投入時の状態に戻すように制御し、第二の表示モードが選択されているときには上記レリーズスイッチの二段目操作信号により、上記第二の板状反射体を回転駆動し、撮影が完了した後に上記電源スイッチ投入時の状態に戻すか、上記第二の板状反射体を第一の位置に停止させ、撮影が完了した後に上記電源スイッチ投入時の状態に戻すように制御し、第三の表示モードが選択されているときには上記レリーズスイッチの二段目操作信号により、上記第二の板状反射体を第一の板状反射体と同期して回転駆動し、撮影が完了した後に上記電源スイッチ投入時の状態に戻すか、上記第二の板状反射体を第一の位置に停止させ、撮影が完了した後に上記電源スイッチ投入時の状態に戻すように制御する。
【００３１】
本発明の請求項２３記載の撮像装置は、請求項２１記載の撮像装置において、上記制御部は、連写撮影モードが選択されている状態にて、第一の表示モードが選択されているときには、上記レリーズスイッチの二段目操作信号により、第二の板状反射体を上記第一の板状反射体に同期して連続回転させ、上記レリーズスイッチの二段目操作解除に伴って、上記電源スイッチ投入時の状態に戻すか、あるいは、第二の板状反射体を第一の位置に停止させ、上記レリーズスイッチの二段目操作解除に伴って、上記電源スイッチ投入時の状態に戻すように制御し、第二の表示モードが選択されているときには上記レリーズスイッチの二段目操作信号により、上記第二の板状反射体を連続回転させ、上記レリーズスイッチの二段目操作解除に伴って、上記電源スイッチ投入時の状態に戻すか、上記第二の板状反射体を第一の位置に停止させ、上記レリーズスイッチの二段目操作解除に伴って、上記電源スイッチ投入時の状態に戻すように制御し、第三の表示モードが選択されているときには上記レリーズスイッチの二段目操作信号により、上記第二の板状反射体を上記第一の板状反射体と同期させて連続回転駆動し、上記レリーズスイッチの二段目操作解除に伴って、上記電源スイッチ投入時の状態に戻すか、上記第二の板状反射体を第一の位置に停止させ、上記レリーズスイッチの二段目操作解除に伴って、上記電源スイッチ投入時の状態に戻すように制御する。
【００３２】
本発明の請求項２４記載の撮像装置は、請求項４記載の撮像装置において、上記制御部は、単写撮影モードが選択されている状態で、第一の表示モード、または、第三の表示モードが選択されているときには、上記レリーズスイッチの二段目操作信号によって上記第一の板状反射体を連続回転させ、撮影完了後に上記電源投入時の状態に戻るように制御し、さらに、第二の表示モードが選択されているときには、上記第一の板状反射体を被写体光束が透過する状態で停止させ、撮影完了後に上記電源投入時の状態に戻るように制御する。
【００３３】
本発明の請求項２５記載の撮像装置は、請求項４記載の撮像装置において、上記制御部は、連写撮影モードが選択されている状態で、第一の表示モード、または、第三に表示モードが選択されているときには、上記レリーズスイッチの二段目操作信号によって、第一の板状反射体を連続回転させ、上記レリーズスイッチの二段目操作解除に伴って、上記電源投入時の状態に戻すように制御し、第二に表示モードが選択されているときには、上記レリーズスイッチの二段目操作信号に伴って、第一の板状反射体を被写体光束が透過する状態で停止させ、上記レリーズスイッチの二段目操作解除に伴って、上記電源投入時の状態に戻すように制御する。
【発明の効果】
【００３４】
本発明によれば、撮像素子を用いた撮像装置において、簡単な構成を有し、撮像素子への露光状態と非露光状態との切り換えの応答性が早く、かつ、撮影モードの切り替えも容易である撮像装置を提供することができる。
【発明を実施するための最良の形態】
【００３５】
以下、図を用いて本発明の実施形態について説明する。
【００３６】
図１〜３は、本発明の第一の実施形態の撮像装置としての一眼レフカメラの要部構成を示す光軸に沿った配置図であって、図１が光学ファインダ観察状態を示し、図２がＡＦ測距状態を示し、図３が撮像素子の露光状態を示している。図４〜６は、上記一眼レフカメラに適用される主回転板と副回転板との上記各作動状態を光軸前方側から見た図であり、図１と図４と、図２と図５と、図３と図６とがそれぞれ対応している。
【００３７】
本実施形態の一眼レフカメラ１０は、図１〜３に示すようにカメラボディ２１に着脱可能なレンズ鏡筒２２と、カメラボディ２１に内蔵される部材として撮影光学系である撮影レンズ１の光軸であるレンズ光軸Ｏに沿って配される第一の板状反射体としての主回転板２および第二の板状反射体としての副回転板３と、撮像素子４とを具備し、さらに、レンズ光軸Ｏの上方に配され、後述するファインダ光学系と、レンズ光軸の下方側に配される検出器としてのＡＦセンサ部８と、被写体像を表示するファインダモード（電子ビューファインダモード）における電子画像表示器である液晶表示部９と、主回転板駆動用の駆動モータ１２と、副回転板駆動用の駆動モータ１４と、カメラ制御部１５と、撮影開始を指示するための２段レリーズボタンにより操作される１ｓｔ（一段目），２ｎｄ（二段目）レリーズスイッチ１６や図示しないモード選択スイッチ等からなるカメラ操作スイッチと、さらに、図示しない構成要素であって、ＡＥ測光部、画像処理回路、液晶表示部駆動回路、記録媒体への画像記録回路等を具備している。
【００３８】
レンズ鏡筒２２は、撮影レンズ１とレンズ合焦駆動部１７とを内蔵している。撮影レンズ１は、被写体光束を取り込み、その被写体像を撮像素子４の受光面４ａ上に結像させる撮影光学系である。レンズ合焦駆動部１７は、カメラ制御部１５の指示により撮影レンズ１の合焦駆動を行う。
【００３９】
上記ファインダ光学系は、レンズ光軸Ｏに上方位置に配されるスクリーン５と、スクリーン５上方に配されるペンタプリズム６と、ペンタプリズム６の後方に配される接眼レンズ７とからなる。ペンタプリズム６と接眼レンズ７の間の光軸をファインダ光軸Ｏｆとする。なお、ペンタプリズム６の後方には測光用ＡＥセンサ部（図示せず）が配されている。
【００４０】
ＡＦセンサ部８は、取り込まれた被写体光束による被写体像を取り込み、被写体光束の光学特性である被写体像の合焦状態を検出するためのＡＦ測距センサ部よりなる。
【００４１】
主回転板２は、レンズ光軸Ｏに対して傾斜する円形の主平面を有し、レンズ光軸Ｏの上方側でレンズ光軸と交差する回転軸１１により回転可能に支持されており、主回転板２の外径は、レンズ光軸Ｏおよびファインダ光軸Ｏｆを含む大きさとなっている。なお、ステッピングモータからなる駆動モータ１２により回転軸１１を介して回転駆動される。
【００４２】
主回転板２には回転板主平面上の第一の領域に扇状の開口部２ａと、第二の領域の前面側に光学ファインダ用の反射面２ｂとが配されている（図４）。開口部２ａがレンズ光軸Ｏ上に位置する状態は、被写体光束が後方側の撮像素子４、または、副回転板３側へ透過する主回転板２の透過位置状態であり、一方、反射面２ｂがレンズ光軸Ｏ上に位置する状態は、被写体光束が上方側の光学ファインダ側に反射される反射位置状態である。そして、主回転板２が上記透過位置状態にあるときは、接眼レンズ７からペンタプリズム６へ向けて進入する外光（不要光）が主回転板２により遮られる。さらに、主回転板２が上記反射位置状態にあるときは、ペンタプリズム６から射出される被写体光束が開口部２ａを介して接眼レンズ７へ透過するのでファインダ観測が可能な状態になる。
【００４３】
開口部２ａの大きさは、主回転板２が透過位置にあるとき、撮像素子４の受光面４ａに対応する受光対応面である撮像素子受光面相当エリアＡｒに対してラジアル方向に大きく、かつ、回転方向に受光面相当エリアＡｒより広い所定の開口角度（例えば、１８０°）を有しており（図６）、開口部２ａが撮像素子４に対するシャッタとしても機能する。さらに、開口部２ａがファインダ光軸Ｏｆ上に位置しているとき、接眼レンズによる光学ファインダ観察光（被写体光束）を蹴らないものとする。
【００４４】
反射面２ｂは、レンズ光軸に対して傾斜しており、レンズ光軸上に位置している状態（図１，４）で被写体光束を上方に配されている上記ファインダ光学系のスクリーン５に向けて反射する。なお、反射面２ｂは、レンズ光軸に対して角度４５°よりも起立しており、主回転板２のレンズ光軸方向の占有エリアを減らしている。スクリーン５のスクリーン面もそれに対応してレンズ光軸に対し傾斜している。また、上述したように主回転板２の開口部２ａが被写体光軸Ｏ上に位置しているとき、反射面２ｂによりペンタプリズム６と接眼レンズ７との間のファインダ光軸Ｏｆ上の光束が遮られる。
【００４５】
副回転板３は、レンズ光軸と傾斜する半円形の反射面３ａを有し、レンズ光軸の下方側のレンズ光軸と交差する回転軸１３により回転可能に支持されており、ステッピングモータからなる駆動モータ１４により回転軸１３を介して回転駆動される。副回転板３の反射面３ａが第一の位置であるレンズ光軸上から退避した透過位置にある状態（図３，６）では、被写体光束は、後方の撮像素子４の受光面４ａに達する。また、副回転板３が回転して反射面３ａが第二の位置であるレンズ光軸上の反射位置にある状態（図２，５）では、被写体光束は、反射面３ａにより下方に配されているＡＦセンサ部８に向けて反射される。
【００４６】
カメラ制御部１５は、ＣＰＵ等からなり、一眼レフカメラ１０の全体の制御を司る制御部であって、レリーズスイッチ１６による一段目操作信号（１ｓｔレリーズスイッチトリガ信号）、および、二段目操作信号（２ｎｄレリーズスイッチトリガ信号）を取り込み、その操作信号に基づいて駆動モータ１２,１４を駆動制御して主回転板２および副回転板３の回転および回転位置を制御し、回転状態、または、回転位置状態により上記ファインダ光学系による光学ファインダ観察状態、および、ライブビュー表示状態と、ＡＦセンサ部８による測距状態と、撮像素子４を露光させる露光状態との切り替え制御を行う。そして、ＡＦセンサ部８の測距データに基づいてレンズ鏡筒２２のレンズ合焦駆動部１７を介して撮影レンズ１の合焦制御を行う。なお、上記合焦制御動作には、２種類のＡＦモードがあり、１つは、１ｓｔレリーズ操作により一度だけ合焦動作を行って、上記合焦状態をロックするフォーカスロックモードと、他の一つは、１ｓｔレリーズ操作中、連写撮影実行中に被写体追尾して合焦動作を行う被写体追尾モードとがある。
【００４７】
さらに、カメラ制御部１５は、上記撮像素子露光により得られた撮像信号を取り込み、単一のフレームの被写体画像信号を取得する単写撮影、または、複数のフレームの被写体画像信号を取得する連写撮影を実行させる。また、撮像画像処理や記録媒体への記録等の制御を行う。また、液晶表示部９の被写体像のライブビュー表示制御を行う。なお、カメラ制御部１５は、撮像素子を介して得られた画像（映像）信号を格納する格納部である画像メモリ部１５ａを有している。
【００４８】
上述の構成を有する本実施形態の一眼レフカメラ１０により撮影を行うときの撮影モードとして単写／連写撮影モードと、フォーカスロックモード／被写体追尾モードのＡＦモードとがあり、四つの組み合わせが可能である。そして、観察モード（表示モード）として後述する３通りがあり、その他、露光モードやフラッシュモードや画質モード等があるが、以下の説明においては、本実施形態の一眼レフカメラ１０の動作の特徴を示すモードとして上記単写／連写撮影モード、上記ＡＦモード、上記観察モードを選択した場合について、以下に説明する。そして、これらの制御は、全てカメラ制御部１５の制御により実行される。
【００４９】
上記単写／連写撮影モードのうち、第一の撮影モードとしての単写撮影モードは、一回の２ｎｄレリーズオン操作により単一フレームの被写体画像信号を取得するモードである。第二の撮影モードとしての連写撮影モードは、２ｎｄレリーズオンの期間中、所定の間隔で複数のフレームの被写体画像信号を取得するモードである。
【００５０】
上記ＡＦモードには被写体追尾ＡＦモードとフォーカスロックモードがある。そのうち、被写体追尾ＡＦモード（追尾ＡＦモードと記載）は、１ｓｔレリーズオンの期間中、所定の間隔で被写体測距を行い、撮影レンズの合焦動作を繰り返して被写体追尾を行う。特に連写撮影時には２ｎｄレリーズオン期間での連写撮影中においても所定の間隔で被写体測距を行い、撮影レンズ１の合焦を繰り返して被写体追尾を行う。フォーカスロックモードでは、１ｓｔレリーズオンによって一回だけ被写体測距を行い、撮影レンズ１の合焦動作を行う。以後の２ｎｄレリーズオンに伴う単写撮影時、また、連写撮影時にて測距を行わず、上記合焦状態のままで単一フレーム、または、複数フレームの撮影が実行される。
【００５１】
上記観察モード（表示モード）としては、光学ファインダ観察モード（第三の表示モード）と、ライブビュー観察モード（第二の表示モード）と光学ファインダ＋ライブビュー観察モード（第一の表示モード）がある。光学ファインダ観察モードは、１ｓｔレリーズオン以前、１ｓｔレリーズオン以後、さらに、連写撮影時には２ｎｄレリーズオン以後も上記光学ファインダに被写体像を表示させ、被写体像観察が可能なモードである。但し、１ｓｔレリーズオン、２ｎｄレリーズオン以後は、間欠的な光学ファインダ観察状態となる。ライブビュー観察モード（電子ビューファインダ観察モード）は、１ｓｔレリーズオン以前、１ｓｔレリーズオン以後、連写撮影時には２ｎｄレリーズオン以後ともに液晶表示部９に被写体像を表示させ、液晶表示部９による観察が可能なモードである。また、光学ファインダ＋ライブビュー観察モードは、上述した光学ファインダ表示観察とライブビュー表示観察とが同時に可能な観察モード（表示モード）である。
【００５２】
上述した各モードは、カメラ電源オン後の撮影実行前（１ｓｔレリーズ前）にそれぞれを組み合わせて設定されるか、あるいは、カメラ電源オン以前に設定されたモードに従って撮影が実行される。
【００５３】
以下、本実施形態の一眼レフカメラ１０における上記各撮影モードが選択された場合の撮影処理動作の詳細について、図７〜２４のフローチャートを用いて説明する。 
図７〜１２は、追尾ＡＦモードを選択した場合の電源投入後のフローチャートであり、図７は、追尾ＡＦモードさらに単写モードおよび光学ファインダ＋ライブビュー観察モード（以下、光学ファインダ＋ライブビューモードと記載）を選択した場合の撮影処理のフローチャートを示す。図８は、追尾ＡＦモードさらに連写モードおよび光学ファインダ＋ライブビューモードを選択した場合の撮影処理のフローチャートを示す。図９は、追尾ＡＦモードさらに単写モードおよび光学ファインダ観察モード（以下、光学ファインダモードと記載）を選択した場合の撮影処理のフローチャートを示す。図１０は、追尾ＡＦモードさらに連写モードおよび光学ファインダモードを選択した場合の撮影処理のフローチャートを示す。図１１は、追尾ＡＦモードさらに単写モードおよびライブビューモードを選択した場合の撮影処理のフローチャートを示す。図１２は、追尾ＡＦモードさらに連写モードおよびライブビューモードを選択した場合の撮影処理のフローチャートを示す。
【００５４】
図１３〜１８は、フォーカスロックモードを選択した場合の電源投入後のフローチャートであり、そのうち、図１３は、フォーカスロックモードさらに単写モードおよび光学ファインダ＋ライブビューモードを選択した場合の撮影処理のフローチャートを示す。図１４は、フォーカスロックモードさらに連写モードおよび光学ファインダ＋ライブビューモードを選択した場合の撮影処理のフローチャートを示す。図１５は、フォーカスロックモードさらに単写モードおよび光学ファインダモードを選択した場合の撮影処理のフローチャートを示す。図１６は、フォーカスロックモードさらに連写モードおよび光学ファインダモードを選択した場合の撮影処理のフローチャートを示す。図１７は、フォーカスロックモードさらに単写モードおよびライブビューモードを選択した場合の撮影処理のフローチャートを示す。図１８は、フォーカスロックモードさらに連写モードおよびライブビューモードを選択した場合の撮影処理のフローチャートを示す。
【００５５】
図１９〜２２は、図７〜１８の撮影処理中で呼び出される各サブルーチンのフローチャートであって、そのうち、図１９は、サブルーチン「ライブビュー処理」のフローチャートであり、図２０は、サブルーチン「ＡＦ処理」のフローチャートであり、図２１は、サブルーチン「撮像処理Ａ」のフローチャートであり、図２２は、サブルーチン「撮像処理Ｂ」のフローチャートである。
【００５６】
まず、撮影モードとして単写モード、追尾ＡＦモードおよび光学＋ライブビューモードを選択した場合、電源投入後、図７のフローチャートに従ってカメラ制御部１５の制御のもとで各処理が実行される。なお、各モードの選択は、電源投入後に行ってもよい。
【００５７】
ステップＳ１で主回転板２が所定の回転速度で駆動され、副回転板３は透過位置（図３，６）に回転駆動され、停止する。この状態で主回転板２の反射面２ｂが光軸Ｏ上の反射位置に位置するタイミングで光学ファインダによる観察が可能である。また、開口部２ａが光軸Ｏ上の透過位置にあるとき、被写体光束が撮像素子４の受光面４ａに入射して被写体撮像データが取り込まれ、後述するライブビュー処理が実行され、ライブビュー表示がなされる。なお、主回転板２の上記所定の回転速度は、ライブビューのレートの整数倍の回転数とする。
【００５８】
ステップＳ２にて表示タイミングであるかの判定がなされ、「ＹＥＳ」であれば、ステップＳ３へ進み、図１９に示すサブルーチン「ライブビュー処理」が呼び出される。
【００５９】
上記表示タイミングは、ライブビューのレートで指定されるタイミングであって、かつ、副回転板３が透過位置に位置しており、開口部２ａが光軸Ｏ上の透過位置するタイミングである。
【００６０】
上記サブルーチン「ライブビュー処理」においては、ステップＳ３０１にて撮像素子４をファインダモード（詳しくは、電子ビューファインダ表示モード）で駆動し、撮像データを読み出す。このファインダモードでは撮像素子４の全画素の中から表示に必要な画素のみのデータとして一定の割合で間引き、あるいは、画素加算等による最小限の画素の読み出しがなされる。
【００６１】
ステップＳ３０２にて読み出された撮像データの画像処理を行い、ステップＳ３０３にて液晶表示部９に上記画像処理された被写体画像が表示され（ライブビュー表示）、本ルーチンを終了する。なお、主回転板２の回転速度がライブビューのレートの２以上の整数倍である場合には、回転毎の撮像データを間引いて表示用画像データが生成される。
【００６２】
上記ステップＳ２にて表示タイミングであるかの判定にて「ＮＯ」であれば、ステップＳ４へ進み、１ｓｔレリーズオン信号（トリガ信号）の有無をチェックし、「ＹＥＳ」の場合、ステップＳ５に進むが、「ＮＯ」の場合は、ステップＳ２に戻る。
【００６３】
上述したステップＳ１〜Ｓ３の処理により光学ファインダによる観察と、液晶表示部９によるライブビュー観察の双方が可能となる。
【００６４】
上記１ｓｔレリーズオンによりステップＳ５に進んだ場合、主回転板２と副回転板３とを同期させて回転駆動する。即ち、主回転板２の開口部２ａが光軸Ｏ上に位置する透過位置状態にある期間中に副回転板３を透過位置と反射位置とに回転駆動する（図５，６）。
【００６５】
ステップＳ６にてＡＦタイミングであるかをチェックする。ＡＦタイミングであれば、ステップＳ７に進み、図２０のサブルーチン「ＡＦ処理」が呼び出される。
【００６６】
なお、上記ＡＦタイミングは、主回転板２が透過位置に到達し、さらに、副回転板３が反射位置に到達したタイミング（主、副回転板の回転毎）であって、このとき、被写体光束は、副回転板３の反射面３ａによってＡＦセンサ部に向けて反射される（図２の状態）。但し、主回転板２の所定の複数回転の１回のみをＡＦタイミングに当ててもよい。
【００６７】
上記サブルーチン「ＡＦ処理」では、ステップＳ３１１にてＡＦセンサ部８に入射した被写体光束により被写体距離の判定がなされ、ステップＳ３１２にて該被写体距離データ（ＡＦ評価値）に基づき、レンズ合焦駆動部１７を介して撮影レンズ１の合焦位置への駆動がなされ、本サブルーチンを終了する。この「ＡＦ処理」は、２ｎｄレリーズがオンされるまで繰り返し、実行され、被写体の追尾ＡＦがなされる。
【００６８】
ステップＳ８では、表示タイミングであるかの判定がなされ、「ＹＥＳ」であれば、ステップＳ９へ進み、前述した図１９に示すサブルーチン「ライブビュー処理」が呼び出されて実行され、ライブビュー表示が行われる。
【００６９】
ステップＳ１０では２ｎｄレリーズオン信号（トリガ信号）の有無のチェックがなされ、「ＹＥＳ」であれば、ステップＳ１２に進む。「ＮＯ」であれば、ステップＳ１１に進み、１ｓｔレリーズがオフされたかどうかをチェックし、「ＹＥＳ」ならば、ステップＳ１に戻る。「ＮＯ」であれば、ステップＳ６に戻る。
【００７０】
ステップＳ１２では、主回転板２と副回転板３とを同期させて回転駆動する。即ち、主回転板２の開口部２ａが光軸Ｏ上に位置する透過位置状態にある期間中に副回転板３を透過位置と反射位置とに回転移動する（図５，６）。被写体光束が撮像素子４側に透過する時間幅は、被写体輝度に対して別途設定されている露光条件を満す撮像素子の露光時間が得られるように設定される。なお、被写体輝度は、カメラに内蔵されるＡＥセンサ部（図示せず）により測定される。
【００７１】
ステップＳ１３では、ＡＦタイミングであるかのチェックがなされ、「ＹＥＳ」でれば、ステップＳ１４に進み、上述した図２０のサブルーチン「ＡＦ処理」が呼び出され、ＡＦ処理が実行され、被写体の追尾ＡＦが実行される。
【００７２】
ステップＳ１５では、図２１のサブルーチン「撮像処理Ａ」が呼び出され、実行される。
【００７３】
サブルーチン「撮像処理Ａ」では、ステップＳ３２１にて主回転板２と副回転板３がともに透過位置にある状態で被写体光束を撮像素子４の受光面４ａに結像させ、撮像素子４の露光を開始させる。露光後、撮像素子４の全画素読み出しモードによる撮像データの読み出しが実行される。ステップＳ３２２にて上記撮像データを画像処理を行って被写体画像データを生成し、本サブルーチンを終了する。
【００７４】
ステップＳ１６にてサブルーチン「撮影画像表示処理」が呼び出され、実行される。このサブルーチン「撮影画像表示処理」においては、サブルーチン「撮像処理Ａ」にて得られた全画素による被写体画像データを間引きすることによって表示用画像データを生成し、該表示用画像データによる撮影済み被写体画像を液晶表示部９に表示させる。
【００７５】
ステップＳ１７にてサブルーチン「撮影画像記録処理」が呼び出され、実行される。このサブルーチン「撮影画像記録処理」においては、サブルーチン「撮像処理Ａ」にて得られた被写体画像データが記録媒体に書き込まれる。
【００７６】
その後、ステップＳ１に戻り、上述したステップＳ１以下の処理がモード設定の変更がなされるまで繰り返される。このとき、副回転板３を透過位置に停止させることで電力消費を抑えることができる。
【００７７】
なお、長時間露光撮影を行う場合には、２ｎｄレリーズオン後、主回転板２を透過位置状態で停止させ、かつ、副回転板３を透過位置に停止させて、撮像素子４の露光を行う。
【００７８】
撮影モードとして連写モード、追尾ＡＦモードおよび光学ファインダ＋ライブビューモードを選択した場合、電源投入後、図８のフローチャートに従ってカメラ制御部１５の制御のもとで各処理が実行される。
【００７９】
ステップＳ２１における主回転板２の回転駆動、副回転板３の透過位置への回転駆動処理からステップＳ２８の表示タイミングの判別、ステップＳ２９のサブルーチン「ライブビュー処理」呼び出しまでの各処理は、前述した図７のフローチャートのステップＳ１からステップＳ９と同様の処理がなされ、光学ファインダ観察可能状態で、かつ、ライブビュー表示も同時に行われる。また、１ｓｔレリーズオンに伴って被写体追尾ＡＦ処理も実行される。
【００８０】
続いて、ステップＳ３０で２ｎｄレリーズオン信号（トリガ信号）の有無のチェックがなされ、「ＹＥＳ」でれば、ステップＳ３２に進む。「ＮＯ」であれば、ステップＳ３１に進み、１ｓｔレリーズがオフされたかどうかをチェックし、「ＹＥＳ」ならば、ステップＳ２１に戻る。「ＮＯ」であれば、ステップＳ２６に戻る。
【００８１】
ステップＳ３２では、主回転板２と副回転板３とを同期させて所定の回転速度で駆動する。即ち、主回転板２の開口部２ａが光軸Ｏ上に位置する透過位置状態にある期間中に副回転板３を透過位置と反射位置とを回転駆動する（図５，６）。主回転板２と副回転板３の回転速度は、選択された連写レート（コマ数／秒）の整数倍、または、連写レートとライブビューレートとの最小公倍数、または、ライブビューのレートの整数倍のいずれかに設定される。
【００８２】
ステップＳ３３ではＡＦタイミングであるかの判定がなされ、「ＹＥＳ」でれば、ステップＳ３４に進み、上述した図２０のサブルーチン「ＡＦ処理」が呼び出され、ＡＦ処理が実行され、被写体の追尾ＡＦが実行される。「ＮＯ」であればステップＳ３５に進む。
【００８３】
ステップＳ３５では、連写タイミングであるかの判定がなされ、「ＹＥＳ」でれば、ステップＳ３６に進み、「ＮＯ」であれば、ステップＳ３８に進む。
【００８４】
なお、上記連写タイミングは、上記連写レートによるタイミングであり、かつ、主回転板２が透過位置状態にあり、副回転板３が透過位置に移動したタイミングである。このタイミングでは、被写体光束が撮像素子４の受光面４ａ上に結像し、撮像素子４の露光が行われる。
【００８５】
ステップＳ３６では図２２のサブルーチン「撮像処理Ｂ」が呼び出され、実行される。
【００８６】
サブルーチン「撮像処理Ｂ」では、ステップＳ３３１にて被写体光束を撮像素子４の受光面４ａに結像させ、撮像素子４の露光を実行する。露光後、撮像素子４の全画素読み出しモードによる撮像データの読み出しが実行される。ステップＳ３３２にて上記撮像データを画像処理を行って被写体画像データが生成される。上記画像処理期間中に併行してステップＳ３３３にて表示タイミングに到達したかをチェックしており、到達した場合、ステップＳ３３４にて全被写体撮像データを間引きすることによって表示用画像データを生成し、ステップＳ３３５を画像処理を行い、該表示用画像データを生成する。そして、ステップＳ３３６にて該表示用画像データによる画像を液晶表示部９に表示させる。
【００８７】
なお、ステップＳ３３３からＳ３３６のライブビュー処理は、上記画像処理期間中に併行して実行する以外に該画像処理後に改めて実行させてもよい。
【００８８】
ステップＳ３７ではサブルーチン「撮影画像記録処理」が呼び出され、実行される。このサブルーチン「撮影画像記録処理」においては、サブルーチン「撮像処理Ｂ」にて得られた被写体画像データが記録媒体に書き込まれる。
【００８９】
なお、本サブルーチンの処理期間中、併行してステップＳ３８の処理も実行される。
【００９０】
上述したステップＳ３６、ステップＳ３７により連写撮影の１コマ分の撮影が実行される。
【００９１】
ステップＳ３８にて表示タイミングに達したかの判定がなされ、「ＹＥＳ」であれば、ステップＳ３９に進み、上述した図１９のサブルーチン「ライブビュー処理」が呼び出され、実行され、生成された表示用画像データによる被写体画像が液晶表示部９に表示される。
【００９２】
なお、「ライブビュー処理」においては、主回転板２の回転速度を連写レート（コマ数／秒）の整数倍、または、連写レートとライブビューレートとの最小公倍数に設定した場合には、回転毎の撮像データを間引いて表示用画像データが生成される。
【００９３】
例えば、連写レートが７コマ／秒であり、ライブビューのレートが３０フレーム／秒であった場合、主回転板２の回転速度を７コマ／秒の整数倍（５倍）の３５回転／秒の設定し、撮像素子４の撮像データの５フレームのうち、１フレームを全画素読み出しを行って撮影を行う。この全画素読み出しフレームを含めた３５フレームから３０フレームを間引いてライブビュー表示させる。
【００９４】
また、連写レートが２０コマ／秒であり、ライブビューのレートが３０フレーム／秒であった場合、主回転板２の回転速度が上記各レートの最小公倍数の６０回転／秒に設定される。
【００９５】
また、主回転板２の回転速度をライブビューのレート（コマ数／秒）の整数倍に設定した場合、一定間隔のライブビュー表示は保証し、上記連写撮影は、ライブビューのレートから間引いて行われる。
【００９６】
例えば、連写レートが７コマ／秒であり、ライブビューのレートが３０フレーム／秒であった場合、主回転板２の回転速度を３０フレーム／秒の整数倍の３０回転／秒の設定し、撮像素子４の撮像データの全フレームをライブビュー表示し、４フレーム、または、５フレームにつき、１フレームの全画素読み出しを行って撮影を行う。
【００９７】
ステップＳ４０で２ｎｄレリーズオフが検出された場合は、ステップＳ２１に戻り、１ｓｔレリーズオフ信号を待つ状態となる。このとき、副回転板３を透過位置に停止させることで電力消費を抑えることができる。また、２ｎｄレリーズオフが検出されない場合、ステップＳ３３に戻り、連写撮影が続行される。
【００９８】
撮影モードとして単写モード、追尾ＡＦモードおよび光学ファインダモードを選択した場合、電源投入後、図９のフローチャートに従ってカメラ制御部１５の制御のもとで各処理が実行される。
【００９９】
ステップＳ５１で主回転板２および副回転板３をそれぞれ反射位置に移動して停止させる。この状態で主回転板２の反射面２ｂが光軸Ｏ上にあり、光学ファインダによる観察が可能である。
【０１００】
ステップＳ５２にて１ｓｔレリーズオン信号（トリガ信号）の有無をチェックし、「ＹＥＳ」の場合、ステップＳ５３に進み、主回転板２を所定の回転速度で駆動する。副回転板３は反射位置に保持される。
【０１０１】
ステップＳ５４にてＡＦタイミングであるかをチェックする。ＡＦタイミングであれば、ステップＳ５５に進み、上述した図２０のサブルーチン「ＡＦ処理」が呼び出される。
【０１０２】
なお、上記ＡＦタイミングは、主回転板２が透過位置に到達したタイミング（主回転板２の回転毎）であって、副回転板３は反射位置に停止しているので、被写体光束は、副回転板３の反射面３ａによってＡＦセンサ部に向けて反射される（図２の状態）。但し、主回転板２の所定の複数回転当たりに１回のＡＦタイミングを当ててもよい。
【０１０３】
上記サブルーチン「ＡＦ処理」により、ＡＦセンサ部８の被写体距離データ（ＡＦ評価値）に基づいて撮影レンズ１が合焦位置へ駆動される。この「ＡＦ処理」は、２ｎｄレリーズがオンされるまで繰り返し、実行され、被写体の追尾ＡＦがなされる。
【０１０４】
ステップＳ５６では２ｎｄレリーズオン信号（トリガ信号）の有無のチェックがなされ、「ＹＥＳ」であれば、ステップＳ５８に進む。「ＮＯ」であれば、ステップＳ５７に進み、１ｓｔレリーズがオフされたかどうかをチェックし、「ＹＥＳ」ならば、ステップＳ５１に戻る。「ＮＯ」であれば、ステップＳ５４に戻る。
【０１０５】
ステップＳ５８では、主回転板２と副回転板３とを同期させて所定の回転速度で駆動する。即ち、主回転板２の開口部２ａが光軸Ｏ上に位置する透過位置状態にある期間中に副回転板３を透過位置と反射位置とを回転駆動する（図５，６）。なお、被写体光束が撮像素子４に透過する時間幅は、被写体輝度に対して別途設定されている露光条件を満す撮像素子の露光時間が得られるように設定される。被写体輝度は、カメラに内蔵されるＡＥセンサ部（図示せず）により測定される。
【０１０６】
ステップＳ５９でＡＦタイミングであるかの判定がなされ、「ＹＥＳ」であれば、ステップＳ６０に進み、上述した図２０のサブルーチン「ＡＦ処理」が呼び出され、ＡＦ処理が実行され、被写体の追尾ＡＦが実行される。「ＮＯ」であれば、ステップＳ６１に進む。
【０１０７】
ステップＳ６１から６３までの処理は、図７におけるステップＳ１５からステップＳ１７までの処理と同様の処理であり、撮像処理、撮影画像表示処理、撮影画像記録処理が実行される。
【０１０８】
その後、ステップＳ５１に戻り、上述したステップＳ５１以下の処理がモード設定の変更がなされるまで繰り返される。
【０１０９】
撮影モードとして連写モード、追尾ＡＦモードおよび光学ファインダモードを選択した場合、電源投入後、図１０のフローチャートに従ってカメラ制御部１５の制御のもとで各処理が実行される。
【０１１０】
ステップＳ７１からステップＳ７５までの各処理は、前述した図９のフローチャートのステップＳ５１からステップＳ５５と同様の処理がなされ、光学ファインダ観察可能状態となり、さらに、１ｓｔレリーズオンに伴って被写体追尾ＡＦ処理も実行される。
【０１１１】
続いて、ステップＳ７６で２ｎｄレリーズオン信号（トリガ信号）の有無のチェックがなされ、「ＹＥＳ」であれば、ステップＳ７８に進む。「ＮＯ」であれば、ステップＳ７７に進み、１ｓｔレリーズがオフされたかどうかをチェックし、「ＹＥＳ」ならば、ステップＳ７１に戻る。「ＮＯ」であれば、ステップＳ７４に戻る。
【０１１２】
ステップＳ７８では、主回転板２と副回転板３とを同期させて所定の回転速度で駆動する。即ち、主回転板２の開口部２ａが光軸Ｏ上に位置する透過位置にある期間中に副回転板３を透過位置と反射位置とを回転駆動する（図５，６）。主回転板２と副回転板３の回転速度は、選択された連写レート（コマ数／秒）の整数倍、または、連写レートと、このモードではライブビューは実行しないが実行する場合のライブビューレートとの最小公倍数、または、ライブビューのレートの整数倍のいずれかに設定される。
【０１１３】
ステップＳ７９ではＡＦタイミングであるかの判定がなされ、「ＹＥＳ」であれば、ステップＳ８０に進み、上述した図２０のサブルーチン「ＡＦ処理」が呼び出され、ＡＦ処理が実行され、被写体の追尾ＡＦが実行される。「ＮＯ」であれば、ステップＳ８１に進む。
【０１１４】
ステップＳ８１で連写タイミングであるかの判定がなされ、「ＹＥＳ」であれば、ステップＳ８２に進み、「ＮＯ」であれば、ステップＳ８５に進む。
【０１１５】
なお、上記連写タイミングは、上記連写レートによるタイミングであり、かつ、主回転板２と副回転板３が透過位置に移動したタイミングである。このタイミングでは、被写体光束は、撮像素子４の受光面４ａ上に結像し、撮像素子４の露光が行われる。
【０１１６】
ステップＳ８２からステップＳ８４は、図９のステップＳ６１からステップＳ６３と同様の処理が実行され、連写撮影の１コマ分の撮像処理、撮影画像表示処理、撮影画像記録処理が実行される。
【０１１７】
ステップＳ８５で２ｎｄレリーズオフが検出された場合は、ステップＳ７１に戻り、１ｓｔレリーズオン信号を待つ状態となる。オフが検出されない場合、ステップＳ７９に戻り、連写撮影が続行される。
【０１１８】
撮影モードとして単写モード、追尾ＡＦモードおよびライブビューモードを選択した場合、電源投入後、図１１のフローチャートに従ってカメラ制御部１５の制御のもとで各処理が実行される。
【０１１９】
ステップＳ９１において主回転板２と副回転板３がともに透過位置にまで回転駆動され、停止する（図３、６）。この状態で被写体光束は、撮像素子４の受光面４ａに入射するので撮像（ライブビュー表示）が可能である。
【０１２０】
ステップＳ９２にて表示タイミングであるかの判定が行われ、「ＹＥＳ」で有れば、ステップＳ９３に進み、上述した図１９のサブルーチン「ライブビュー処理」が呼び出され、ライブビュー表示がなれる。「ＮＯ」であれば、ステップＳ９４へ進み、１ｓｔレリーズオン信号（トリガ信号）が有無をチェックし、「ＹＥＳ」の場合、ステップＳ９５に進むが、「ＮＯ」の場合は、ステップＳ９２に戻る。
【０１２１】
１ｓｔレリーズオンによりステップＳ９５に進んだ場合、主回転板２を透過位置に保持したまま、副回転板３を回転駆動する。
【０１２２】
ステップＳ９６にてＡＦタイミングであるかをチェックする。「ＹＥＳ」であれば、ステップＳ９７に進み、上述した図２０のサブルーチン「ＡＦ処理」が呼び出され、撮影レンズ１の合焦位置への駆動がなされる。この「ＡＦ処理」は、２ｎｄレリーズがオンされるまで繰り返し、実行され、被写体の追尾ＡＦがなされる。
【０１２３】
なお、上記ＡＦタイミングは、主回転板２が透過位置に保持された状態で副回転板３が反射位置に到達したタイミングであって、このとき、被写体光束は、副回転板３の反射面３ａによってＡＦセンサ部に向けて反射される（図２の状態）。
【０１２４】
ステップＳ９８では、表示タイミングであるかの判定がなされ、「ＹＥＳ」であれば、ステップＳ９９へ進み、前述した図１９に示すサブルーチン「ライブビュー処理」が呼び出されて実行され、ライブビュー表示が行われる。
【０１２５】
ステップＳ１００では２ｎｄレリーズオン信号（トリガ信号）の有無のチェックがなされ、「ＹＥＳ」であれば、ステップＳ１０２に進む。「ＮＯ」であれば、ステップＳ１０１に進み、１ｓｔレリーズがオフされたかどうかをチェックし、「ＹＥＳ」ならば、ステップＳ９１に戻る。「ＮＯ」であれば、ステップＳ９６に戻る。
【０１２６】
ステップＳ１０２では、主回転板２を透過位置に保持したまま、副回転板３を回転駆動する。副回転板３の回転速度は、ライブビューレートの整数倍に設定される。
【０１２７】
ステップＳ１０３では、ＡＦタイミングであるかの判定がなされ、「ＹＥＳ」であれば、ステップＳ１０４に進み、上述した図２０のサブルーチン「ＡＦ処理」が呼び出され、ＡＦ処理が実行され、被写体の追尾ＡＦが実行される。
【０１２８】
ステップＳ１０５からステップＳ１０７では、上述した図７のステップＳ１５からステップＳ１７と同様の処理が行われ、撮像、被写体画像表示、画像記録が実行される。
【０１２９】
なお、被写体輝度に応じた露光条件を満たすためには副回転板３の回転速度を変化させて対応させることが可能である。また、図１１のフローチャートには図示していないが、副回転板３の回転速度は変えず、主回転板２の回転させることで露光時間を調整することも可能である。
【０１３０】
その後、ステップＳ９１に戻り、上述したステップＳ９１以下の処理がモード設定の変更がなされるまで繰り返される。
【０１３１】
なお、長時間露光撮影を行う場合には、２ｎｄレリーズオン後、主回転板２を透過位置状態で、かつ、副回転板３を透過位置に停止させて、撮像素子４の露光が行われる。
【０１３２】
撮影モードとして連写モード、追尾ＡＦモードおよびライブビューモードを選択した場合、電源投入後、図１２のフローチャートに従ってカメラ制御部１５の制御のもとで各処理が実行される。
【０１３３】
ステップＳ１１１からステップＳ１１９までは、上述した図１１のステップＳ９１からステップＳ９９までと同様の処理がなされ、ライブビュー表示、さらに、１ｓｔレリーズに伴って追尾ＡＦが実行される。
【０１３４】
続いて、ステップＳ１２０で２ｎｄレリーズオン信号（トリガ信号）の有無のチェックがなされ、「ＹＥＳ」であれば、ステップＳ１２２に進む。「ＮＯ」であれば、ステップＳ１２１に進み、１ｓｔレリーズがオフされたかどうかをチェックし、「ＹＥＳ」ならば、ステップＳ１１１に戻るが、「ＮＯ」であれば、ステップＳ１１６に戻る。
【０１３５】
ステップＳ１２２では、主回転板２を透過位置に保持したまま、副回転板３を所定の回転速度で駆動する。副回転板３の回転速度は、選択された連写レート（コマ数／秒）の整数倍、または、連写レートとライブビューレートとの最小公倍数、または、ライブビューのレートの整数倍のいずれかに設定される。
【０１３６】
ステップＳ１２３ではＡＦタイミングであるかの判定がなされ、「ＹＥＳ」であれば、ステップＳ１２４に進み、上述した図２０のサブルーチン「ＡＦ処理」が呼び出され、ＡＦ処理が実行され、被写体の追尾ＡＦが実行される。「ＮＯ」であればステップＳ１２５に進む。
【０１３７】
ステップＳ１２５では、連写タイミングであるかの判定がなされ、「ＹＥＳ」であれば、ステップＳ１２６に進み、「ＮＯ」であれば、ステップＳ１２８に進む。
【０１３８】
なお、上記連写タイミングは、上記連写レートによるタイミングで、かつ、副回転板３が透過位置に移動したタイミングである。このタイミングでは、被写体光束は、撮像素子４の受光面４ａ上に結像し、撮像素子４の露光が行われる。
【０１３９】
ステップＳ１２６、Ｓ１２７では、上述した図８のステップＳ３６、ステップＳ３７と同様の処理がなされ、連写撮影の１コマ分の撮像処理、撮影画像記録処理、および、該処理期間中の表示タイミングでのライブビュー表示がなされる。
【０１４０】
ステップＳ１２８では表示タイミングに達したかの判定がなされ、「ＹＥＳ」であれば、ステップＳ１２９に進み、上述した図１９のサブルーチン「ライブビュー処理」が呼び出され、実行され、生成された表示用画像データによる画像が液晶表示部９に表示される。
【０１４１】
なお、副回転板３の回転速度を連写レート（コマ数／秒）の整数倍、または、連写レートとライブビューレートとの最小公倍数、または、ライブビューレートの整数倍に設定した場合には、回転毎の撮像データを間引いて表示用画像データが生成される。
【０１４２】
ステップＳ１３０で２ｎｄレリーズオフが検出された場合は、ステップＳ１１１に戻り、１ｓｔレリーズオン信号を待つ状態となる。オフが検出されない場合、ステップＳ１２３に戻り、連写撮影が続行される。
【０１４３】
撮影モードとして単写モード、フォーカスロックモードおよび光学＋ライブビューモードを選択した場合、電源投入後、図１３のフローチャートに従ってカメラ制御部１５の制御のもとで各処理が実行される。
【０１４４】
ステップＳ１４１で主回転板２が所定の回転速度で駆動され、副回転板３は透過位置（図３，６）に回転駆動され、停止する。この状態で主回転板２の反射面２ｂが光軸Ｏ上の反射位置に位置するタイミングで光学ファインダによる観察が可能である。また、開口部２ａが光軸Ｏ上の透過位置にあるとき、被写体光束が撮像素子４の受光面４ａに入射し、後述するライブビュー処理が実行可能である。なお、主回転板２の上記所定の回転速度は、ライブビューのレートの整数倍の回転数とする。
【０１４５】
ステップＳ１４２にて表示タイミングであるかの判定がなされ、「ＹＥＳ」であれば、ステップＳ１４３へ進み、上述した図１９に示すサブルーチン「ライブビュー処理」が呼び出される。
【０１４６】
上記ステップＳ１４２にて表示タイミングであるかの判定にて「ＮＯ」であれば、ステップＳ１４４へ進み、１ｓｔレリーズオン信号（トリガ信号）が有無をチェックし、「ＹＥＳ」の場合、ステップＳ１４５に進むが、「ＮＯ」の場合は、ステップＳ１４２に戻る。なお、ステップＳ１４２、Ｓ１４３の処理により光学ファインダによる観察に加えて、液晶表示部９によるライブビュー観察も可能となる。
【０１４７】
上記１ｓｔレリーズオンによりステップＳ１４５に進んだ場合、主回転板２の回転駆動状態のまま、副回転板３を反射位置に回転移動する。
【０１４８】
ステップＳ１４６にてＡＦタイミングであるかをチェックする。ＡＦタイミングであれば、ステップＳ１４７に進み、上述した図２０のサブルーチン「ＡＦ処理」が呼び出され、撮影レンズ１の合焦位置への駆動がなされる。
【０１４９】
なお、上記ＡＦタイミングは、主回転板２が透過位置に、副回転板３が反射位置に到達したタイミング（主、副回転板の回転毎）であって、このとき、被写体光束は、副回転板３の反射面３ａによってＡＦセンサ部に向けて反射される（図２の状態）。
【０１５０】
なお、ＡＦ動作は、１ｓｔレリーズがオンになったとき、一度だけ実行され、１ｓｔレリーズがオンの期間は、被写体の動きに関係なく合焦したレンズ位置を保持し続ける。
【０１５１】
この後、ステップＳ１４８に進み、副回転板３を透過位置に駆動して停止させる。なお、図示しないが副回転板３を主回転板２と同期して回転させ続けてもよい。このように制御すると何度も１ｓｔレリーズのオンオフ操作を繰り返して合焦動作をする際のレスポンス性が向上する。
【０１５２】
ステップＳ１４９では、表示タイミングであるかの判定がなされ、「ＹＥＳ」であれば、ステップＳ１５０へ進み、前述した図１９に示すサブルーチン「ライブビュー処理」が呼び出されて実行され、ライブビュー表示が行われる。
【０１５３】
ステップＳ１５１では２ｎｄレリーズオン信号（トリガ信号）の有無のチェックがなされ、「ＹＥＳ」であれば、ステップＳ１５３に進む。「ＮＯ」であれば、ステップＳ１５２に進み、１ｓｔレリーズがオフされたかどうかをチェックし、「ＹＥＳ」ならば、ステップＳ１４１に戻る。「ＮＯ」であれば、ステップＳ１４９に戻る。
【０１５４】
ステップＳ１５３では、副回転板３を透過位置に保持した状態で主回転板２を所定の回転速度で駆動する。主回転板２の開口部２ａが光軸Ｏ上にあるとき、被写体輝度に対して別途設定されている露光条件を満す撮像素子の露光時間が得られるように設定される。なお、被写体輝度は、カメラに内蔵されるＡＥセンサ部（図示せず）により測定される。
【０１５５】
ステップＳ１５４からステップＳ１５６までは、上述した図７のステップＳ１５からステップＳ１７までと同様の処理が実行され、撮像、撮影画像表示処理、撮影画像記録処理が行われる。
【０１５６】
その後、ステップＳ１４１に戻り、上述したステップＳ１４１以下の処理がモード設定の変更がなされるまで繰り返される。このとき、副回転板３を透過位置に停止させることで電力消費を抑えることができる。
【０１５７】
なお、長時間露光撮影を行う場合には、２ｎｄレリーズオン後、主回転板２を透過位置状態で停止させ、かつ、副回転板３を透過位置に停止させて、撮像素子４の露光を行う。
【０１５８】
撮影モードとして連写モード、フォーカスロックモードおよび光学ファインダ＋ライブビューモードを選択した場合、電源投入後、図１４のフローチャートに従ってカメラ制御部１５の制御のもとで各処理が実行される。
【０１５９】
ステップＳ１６１からステップＳ１７０までは、上述した図１３のステップＳ１４１からステップＳ１５０までと同様の処理が実行され、光学ファインダ観察が可能な状態で、かつ、ライブビュー表示も同時に行われる。さらに、１ｓｔレリーズオンに伴ってＡＦ処理が実行され、撮影レンズ１の合焦駆動が行われる。
【０１６０】
ステップＳ１７１の２ｎｄレリーズオン信号（トリガ信号）の有無のチェックにて「ＹＥＳ」の場合、ステップＳ１７３に進む。「ＮＯ」の場合、ステップＳ１７２に進み、１ｓｔレリーズがオフされたかをチェックする。「ＹＥＳ」の場合、ステップＳ１６１に戻り、「ＮＯ」の場合、ステップＳ１６９に戻る。
【０１６１】
ステップＳ１７３では、副回転板３を透過位置に保持した状態で主回転板２を所定の回転速度で駆動する。主回転板２の回転速度は、選択された連写レート（コマ数／秒）の整数倍、または、連写レートとライブビューレートとの最小公倍数、または、ライブビューのレートの整数倍のいずれかに設定される。
【０１６２】
ステップＳ１７４では、連写タイミングであるかの判定がなされ、「ＹＥＳ」であれば、ステップＳ１７５に進み、「ＮＯ」であれば、ステップＳ１７８に進む。
【０１６３】
なお、上記連写タイミングは、上記連写レートによるタイミングで、かつ、副回転板３が透過位置にある状態で主回転板２が透過位置に移動したタイミングである。このタイミングでは、被写体光束が撮像素子４の受光面４ａ上に結像し、撮像素子４の露光が行われる。
【０１６４】
ステップＳ１７５、Ｓ１７６では、上述した図８のステップＳ３６、Ｓ３７と同様の処理が行われ、連写撮影の１コマ分の撮像、撮影画像記録処理、および、該処理期間中の表示タイミングでのライブビュー表示がなされる。
【０１６５】
ステップＳ１７７にて表示タイミングに達したかの判定がなされ、「ＹＥＳ」であれば、ステップＳ１７８に進み、上述した図１９のサブルーチン「ライブビュー処理」が呼び出され、実行され、生成された表示用画像データによる被写体画像が液晶表示部９に表示される。
【０１６６】
ステップＳ１７９で２ｎｄレリーズオフが検出された場合は、ステップＳ１６１に戻り、１ｓｔレリーズオン信号を待つ状態となる。このとき、副回転板３を透過位置に停止させることで電力消費を抑えることができる。また、２ｎｄレリーズオフが検出されない場合、ステップＳ１７４に戻り、連写撮影が続行される。
【０１６７】
撮影モードとして単写モード、フォーカスロックモードおよび光学ファインダモードを選択した場合、電源投入後、図１５のフローチャートに従ってカメラ制御部１５の制御のもとで各処理が実行される。
【０１６８】
ステップＳ１９１で主回転板２および副回転板３をそれぞれ反射位置に移動して停止させる。この状態で主回転板２の反射面２ｂが光軸Ｏ上にあり、光学ファインダによる観察が可能である。
【０１６９】
ステップＳ１９２にて１ｓｔレリーズオン信号（トリガが信号）の有無をチェックして、「ＹＥＳ」の場合はステップＳ１９３に進み、主回転板２を所定の回転速度で駆動する。副回転板３は反射位置に保持される。
【０１７０】
ステップＳ１９４でＡＦタイミングに達したことを確認してステップＳ１９５に進み、上述した図２０のサブルーチン「ＡＦ処理」が呼び出され、撮影レンズ１の合焦駆動が行われる。
【０１７１】
なお、ＡＦ動作は、１ｓｔレリーズがオンになったとき、一度だけ実行され、１ｓｔレリーズがオンの期間は、被写体の動きに関係なく合焦したレンズ位置を保持し続ける。
【０１７２】
この後、ステップＳ１９６に進み、副回転板３を透過位置に駆動して停止させる。なお、図示しないが副回転板３を主回転板２と同期して回転させ続けてもよい。このように制御すると何度も１ｓｔレリーズのオンオフ操作を繰り返して合焦動作をする際のレスポンス性が向上する。
【０１７３】
ステップＳ１９７では２ｎｄレリーズオン信号（トリガ信号）の有無のチェックがなされ、「ＹＥＳ」であれば、ステップＳ１９９に進む。「ＮＯ」であれば、ステップＳ１９８に進み、１ｓｔレリーズがオフされたかどうかをチェックする。「ＹＥＳ」ならば、ステップＳ１９１に戻るが、「ＮＯ」であれば、ステップＳ１９７に戻る。
【０１７４】
ステップＳ１９９では、副回転板３を透過位置に保持した状態で主回転板２を所定の回転速度で駆動する。主回転板２の速度は、被写体輝度に対して別途設定されている露光条件を満す撮像素子の露光時間が得られるように設定される。被写体輝度は、カメラに内蔵されるＡＥ測光部（図示せず）により測定される。
【０１７５】
ステップＳ２００からＳ２０２までは、上述した図７のステップＳ１５からＳ１７までの処理と同様の処理が実行される。その後、ステップＳ１９１に戻り、上述したステップＳ１９１以下の処理がモード設定の変更がなされるまで繰り返される。
【０１７６】
撮影モードとして連写モード、フォーカスロックモードおよび光学ファインダを選択した場合、電源投入後、図１６のフローチャートに従ってカメラ制御部１５の制御のもとで各処理が実行される。
【０１７７】
ステップＳ２１１からステップＳ２１６までは、前述した図１５のフローチャートのステップＳ１９１からステップＳ１９６と同様の処理がなされ、光学ファインダ観察可能状態となり、さらに、１ｓｔレリーズオンに伴ってＡＦ処理が実行され、撮影レンズ１の合焦駆動が実行される。
【０１７８】
ステップＳ２１７で２ｎｄレリーズオン信号（トリガ信号）の有無のチェックで「ＹＥＳ」の場合、ステップＳ２１９に進み、副回転板３を透過位置に保持した状態で主回転板２が所定の回転速度で駆動される。「ＮＯ」の場合、ステップＳ２１８にて１ｓｔレリーズがオフされたかをチェックする。「ＹＥＳ」の場合はステップＳ２１１に戻る。「ＮＯ」の場合、ステップＳ２１７に戻る。
【０１７９】
ステップＳ２２０で連写タイミングであるかの判定がなされ、「ＹＥＳ」であれば、ステップＳ２２１に進み、「ＮＯ」であれば、ステップＳ２２４に進む。
【０１８０】
ステップＳ２２１からステップＳ２２３は、図１５のステップＳ２００からステップＳ２０２と同様の処理が実行され、連写撮影の１コマ分の撮像処理、撮影画像表示処理、撮影画像記録処理が実行される。
【０１８１】
ステップＳ２２４で２ｎｄレリーズオフが検出された場合は、ステップＳ２１１に戻り、１ｓｔレリーズオン信号を待つ状態となる。オフが検出されない場合、ステップＳ２２０に戻り、連写撮影が続行される。
【０１８２】
撮影モードとして単写モード、フォーカスロックモードおよびライブビューモードを選択した場合、電源投入後、図１７のフローチャートに従ってカメラ制御部１５の制御のもとで各処理が実行される。
【０１８３】
ステップＳ２３１において主回転板２と副回転板３がともに透過位置にまで回転駆動され、停止する（図３、６）。この状態で被写体光束は、撮像素子４の受光面４ａに入射するので撮像（ライブビュー表示）が可能である。
【０１８４】
ステップＳ２３２にて表示タイミングであるかの判定が行われ、「ＹＥＳ」であれば、ステップＳ２３３に進み、上述した図１９のサブルーチン「ライブビュー処理」が呼び出され、ライブビュー表示がなれる。「ＮＯ」であれば、ステップＳ２３４へ進み、１ｓｔレリーズオン信号（トリガ信号）が有無をチェックし、「ＹＥＳ」の場合、ステップＳ２３５に進むが、「ＮＯ」の場合は、ステップＳ２３２に戻る。
【０１８５】
１ｓｔレリーズオンによりステップＳ２３５に進んだ場合、主回転板２を透過位置に保持したまま、副回転板３を回転駆動する。
【０１８６】
ステップＳ２３６でＡＦタイミングに達したことを確認してステップＳ２３７に進み、上述した図２０のサブルーチン「ＡＦ処理」が呼び出され、撮影レンズ１の合焦位置への駆動がなされる。
【０１８７】
なお、ＡＦ動作は、１ｓｔレリーズがオンになったとき、一度だけ実行され、１ｓｔレリーズがオンの期間は、被写体の動きに関係なく合焦したレンズ位置を保持し続ける。
【０１８８】
この後、ステップＳ２３８に進み、副回転板３を透過位置に駆動して停止させる。なお、図示しないが副回転板３を主回転板２と同期して回転させ続けてもよい。このように制御すると何度も１ｓｔレリーズのオンオフ操作を繰り返して合焦動作をする際のレスポンス性が向上する。
【０１８９】
ステップＳ２３９では、表示タイミングであるかの判定がなされ、「ＹＥＳ」であれば、ステップＳ２４０へ進み、上述した図１９に示すサブルーチン「ライブビュー処理」が呼び出されて実行され、ライブビュー表示が行われる。
【０１９０】
ステップＳ２４１では２ｎｄレリーズオン信号（トリガ信号）の有無のチェックがなされ、「ＹＥＳ」であれば、ステップＳ２４３に進む。「ＮＯ」であれば、ステップＳ２４２に進み、１ｓｔレリーズがオフされたかどうかをチェックし、「ＹＥＳ」ならば、ステップＳ２３１に戻る。「ＮＯ」であれば、ステップＳ２３９に戻る。
【０１９１】
ステップＳ２４３では、主回転板２を透過位置に保持したまま、副回転板３を回転駆動する。副回転板３の回転速度は、被写体輝度に対して別途設定されている露光条件を満す撮像素子の露光時間が得られる速度に設定される。なお、被写体輝度は、カメラに内蔵されるＡＥセンサ部（図示せず）により測定される。
【０１９２】
ステップＳ２４４からステップＳ２４６では、上述した図７のステップＳ１５からステップＳ１７と同様の処理が行われ、撮像、被写体画像表示、画像記録が実行される。
【０１９３】
その後、ステップＳ２３１に戻り、上述したステップＳ９１以下の処理がモード設定の変更がなされるまで繰り返される。
【０１９４】
なお、長時間露光撮影を行う場合には、２ｎｄレリーズオン後、主回転板２を透過位置状態で、かつ、副回転板３を透過位置に停止させて、撮像素子４の露光が行われる。
【０１９５】
撮影モードとして連写モード、フォーカスロックモードおよびライブビューモードを選択した場合、電源投入後、図１８のフローチャートに従ってカメラ制御部１５の制御のもとで各処理が実行される。
【０１９６】
ステップＳ２５１からステップＳ２６０までは、上述した図１８のステップＳ２３１からステップＳ２４０までと同様の処理がなされ、ライブビュー表示、さらに、１ｓｔレリーズに伴って撮影レンズの合焦駆動がなされる。
【０１９７】
続いて、ステップＳ２６１で２ｎｄレリーズオン信号（トリガ信号）の有無のチェックがなされ、「ＹＥＳ」であれば、ステップＳ２６３に進む。「ＮＯ」であれば、ステップＳ２６２に進み、１ｓｔレリーズがオフされたかどうかをチェックし、「ＹＥＳ」ならば、ステップＳ２５１に戻るが、「ＮＯ」であれば、ステップＳ２５９に戻る。
【０１９８】
ステップＳ２６３では、主回転板２を透過位置に保持したまま、副回転板３を所定の回転速度で駆動する。副回転板３の回転速度は、選択された連写レート（コマ数／秒）の整数倍、または、連写レートとライブビューレートとの最小公倍数、または、ライブビューのレートの整数倍のいずれかに設定される。
【０１９９】
ステップＳ２６４では、連写タイミングであるかの判定がなされ、「ＹＥＳ」であれば、ステップＳ２６５に進み、「ＮＯ」であれば、ステップＳ２６７に進む。
【０２００】
なお、上記連写タイミングは、上記連写レートによるタイミングで、かつ、副回転板３が透過位置に移動したタイミングである。このタイミングでは、被写体光束は、撮像素子４の受光面４ａ上に結像し、撮像素子４の露光が行われる。
【０２０１】
ステップＳ２６５、Ｓ２６６は、上述した図８のステップＳ３６、Ｓ３７と同様の処理がなされ、連写撮影の１コマ分の撮像、撮影画像記録処理、および、該処理期間中の表示タイミングでのライブビュー表示がなされる。
【０２０２】
ステップＳ２６７では表示タイミングに達したかの判定がなされ、「ＹＥＳ」であれば、ステップＳ２６８に進み、上述した図１９のサブルーチン「ライブビュー処理」が呼び出され、実行され、生成された表示用画像データによる画像が液晶表示部９に表示される。
【０２０３】
なお、副回転板３の回転速度を連写レート（コマ数／秒）の整数倍、または、連写レートとライブビューレートとの最小公倍数、または、ライブビューレートの整数倍に設定した場合には、回転毎の撮像データを間引いて表示用画像データが生成される。
【０２０４】
ステップＳ２６９で２ｎｄレリーズオフが検出された場合は、ステップＳ２５１に戻り、１ｓｔレリーズオン信号を待つ状態となる。オフが検出されない場合、ステップＳ２６４に戻り、連写撮影が続行される。
【０２０５】
なお、上述した各制御動作中における主回転板２、または、副回転板３の回転駆動は、連続回転駆動であってもよいが、間欠回転駆動であってもよい。
【０２０６】
また、再生モード時においては、主回転板２および副回転板３は停止させる。さらに、動画撮影（音声記録）時においては、主回転板２および副回転板３はそれぞれ透過位置に停止させた状態で撮像素子４による撮像信号に基づいて撮影レンズ１の合焦制御を行わせる（イメージャＡＦ）。
【０２０７】
上述した本実施形態の一眼レフカメラ１０によれば、図１６に示される従来の一眼レフカメラ１００にて適用された揺動式可動ミラー１０２に替えて反射面を有する主回転板２および副回転板３を採用していることから、被写体光束の光路中の狭いスペースに上記各回転板を収容することができる。また、上記各回転板は、回転駆動され、その傾斜角度は変化しないので、停止したときの反射面のバウンドの影響がなく、素早く光学ファインダ観察や測距を開始することができ、また、撮像素子４の露光状態への切り換え応答性も改善することができる。
【０２０８】
また、連写撮影時においては、上述した従来の一眼レフカメラ１００のように可動ミラーを揺動駆動させる必要がなく、上記各回転板を回転駆動させることから、可動ミラーの揺動によるバウンド現象も生じず、高速、例えば、１０コマ／秒以上の連写が可能になる。
【０２０９】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【０２１０】
本発明の撮像装置は、簡単な構成を有し、撮像素子への露光状態と非露光状態との切り換えの応答性が早く、かつ、撮影モードの切り替えも容易である撮像装置としての利用が可能である。
【図面の簡単な説明】
【０２１１】
【図１】本発明の一実施形態の撮像装置である一眼レフカメラの主要構成を示す光軸に沿った断面図であって、光学ファインダ観察状態を示す。
【図２】図１の一眼レフカメラの主要構成を示す光軸に沿った断面図であって、ＡＦ測距状態を示す。
【図３】図１の一眼レフカメラの主要構成を示す光軸に沿った断面図であって、露光状態を示す。
【図４】図１の一眼レフカメラにおける主回転板と副回転板の光学ファインダ観察状態を光軸前方から見たを示す図である。
【図５】図１の一眼レフカメラにおける主回転板と副回転板のＡＦ測距状態を光軸前方から見たを示す図である。
【図６】図１の一眼レフカメラにおける主回転板と副回転板の露光状態を光軸前方から見たを示す図である。
【図７】図１の一眼レフカメラにおいて追尾ＡＦモード、単写モードおよび光学ファインダ＋ライブビューモードを選択した場合の撮影処理のフローチャートを示す。
【図８】図１の一眼レフカメラにおいて追尾ＡＦモード、連写モードおよび光学ファインダ＋ライブビューモードを選択した場合の撮影処理のフローチャートを示す。
【図９】図１の一眼レフカメラにおいて追尾ＡＦモード、単写モードおよび光学ファインダモードを選択した場合の撮影処理のフローチャートを示す。
【図１０】図１の一眼レフカメラにおいて追尾ＡＦモード、連写モードおよび光学ファインダモードを選択した場合の撮影処理のフローチャートを示す。
【図１１】図１の一眼レフカメラにおいて追尾ＡＦモード、単写モードおよびライブビューモードを選択した場合の撮影処理のフローチャートを示す。
【図１２】図１の一眼レフカメラにおいて追尾ＡＦモード、連写モードおよびライブビューモードを選択した場合の撮影処理のフローチャートを示す。
【図１３】図１の一眼レフカメラにおいてフォーカスロックモード、単写モードおよび光学ファインダ＋ライブビューモードを選択した場合の撮影処理のフローチャートを示す。
【図１４】図１の一眼レフカメラにおいてフォーカスロックモード、連写モードおよび光学ファインダ＋ライブビューモードを選択した場合の撮影処理のフローチャートを示す。
【図１５】図１の一眼レフカメラにおいてフォーカスロックモード、単写モードおよび光学ファインダモードを選択した場合の撮影処理のフローチャートを示す。
【図１６】図１の一眼レフカメラにおいてフォーカスロックモード、連写モードおよび光学ファインダモードを選択した場合の撮影処理のフローチャートを示す。
【図１７】図１の一眼レフカメラにおいてフォーカスロックモード、単写モードおよびライブビューモードを選択した場合の撮影処理のフローチャートを示す。
【図１８】図１の一眼レフカメラにおいてフォーカスロックモード、連写モードおよびライブビューモードを選択した場合の撮影処理のフローチャートを示す。
【図１９】図１の一眼レフカメラの上記撮影処理にて呼び出されるサブルーチン「ライブビュー処理」のフローチャートを示す。
【図２０】図１の一眼レフカメラの上記撮影処理にて呼び出されるサブルーチン「ＡＦ処理」のフローチャートを示す。
【図２１】図１の一眼レフカメラの上記撮影処理にて呼び出されるサブルーチン「撮像処理Ａ」のフローチャートを示す。
【図２２】図１の一眼レフカメラの上記撮影処理にて呼び出されるサブルーチン「撮像処理Ｂ」のフローチャートを示す。
【図２３】従来の撮像装置である一眼レフカメラの主要構成を示す光軸に沿った断面図である。
【符号の説明】
【０２１２】
１  …撮影レンズ（撮影光学系）
２  …主回転板（第一の板状反射体）
３  …副回転板（第二の板状反射体）
４  …撮像素子
５  …スクリーン（光学ファインダ）
６  …ペンタプリズム（光学ファインダ）
７  …接眼レンズ（光学ファインダ）
８  …ＡＦセンサ部（検出部）
９  …液晶表示部▲（電子画像表示器）
１１，１３…支持軸（軸）
１２，１４…駆動モータ
１５  …制御部
１５ａ…画像メモリ（格納部）
１６  …レリーズスイッチ
【図１】
2009080206.tif 000003
【図２】
2009080206.tif 000004
【図３】
2009080206.tif 000005
【図４】
2009080206.tif 000006
【図５】
2009080206.tif 000007
【図６】
2009080206.tif 000008
【図７】
2009080206.tif 000009
【図８】
2009080206.tif 000010
【図９】
2009080206.tif 000011
【図１０】
2009080206.tif 000012
【図１１】
2009080206.tif 000013
【図１２】
2009080206.tif 000014
【図１３】
2009080206.tif 000015
【図１４】
2009080206.tif 000016
【図１５】
2009080206.tif 000017
【図１６】
2009080206.tif 000018
【図１７】
2009080206.tif 000019
【図１８】
2009080206.tif 000020
【図１９】
2009080206.tif 000021
【図２０】
2009080206.tif 000022
【図２１】
2009080206.tif 000023
【図２２】
2009080206.tif 000024
【図２３】
2009080206.tif 000025